(57)【要約】【課題】製造コスト等の上昇を招くことなく、接続箱の昇圧回路の異常を容易に発見できる接続箱と系統連系インバータ装置を提供する。【解決手段】複数の太陽電池モジュール２と、接続箱４と、パワーコンディショナ５とで構成される太陽光発電システムにおいて、接続箱４に太陽電池モジュール２の回路数に応じた複数の昇圧回路６を備えさせる。そして、いずれかの昇圧回路６に異常が検出されると、当該異常が検出された昇圧回路６を除く他のすべての昇圧回路６に通常動作とは異なる所定の昇圧動作を行わせてパワーコンディショナ５の入力を変化させ、パワーコンディショナ５に昇圧回路６の異常を知らせ、パワーコンディショナ５の表示部９などに異常の表示を行わせる。【選択図】図１
2014131375.tif 000002
【特許請求の範囲】
【請求項１】
複数の太陽電池回路を系統連系インバータ装置に接続するための接続箱であって、接続される太陽電池回路の回路数に応じた複数の昇圧回路を備え、通常動作時に、各昇圧回路が太陽電池回路中の最大電圧に出力電圧を合わせる昇圧動作を行うように構成されたものにおいて、
昇圧回路ごとの異常を検出する異常検出手段を備え、
前記異常検出手段がいずれかの昇圧回路の異常を検出したときは、当該異常が検出された昇圧回路を除く他のすべての昇圧回路が前記通常動作とは異なる所定の昇圧動作を行うことによって接続箱の異常を前記系統連系インバータ装置に報知するように構成されていることを特徴とする接続箱。
【請求項２】
前記所定の昇圧動作は、前記系統連系インバータ装置のＭＰＰＴ制御による最大電力点の電圧よりも高い所定電圧に昇圧させる昇圧動作であることを特徴とする請求項１に記載の接続箱。
【請求項３】
前記所定の昇圧動作は、前記系統連系インバータ装置のＭＰＰＴ制御による最大電力点の電圧への昇圧動作と、この最大電力点の電圧よりも高い所定電圧に昇圧させる昇圧動作を交互に行わせるものであることを特徴とする請求項１に記載の接続箱。
【請求項４】
請求項１から３のいずれかに記載の接続箱と接続される系統連系インバータ装置であって、前記接続箱が昇圧回路の異常を報知する所定の昇圧動作を行っていることを検知したときに、その旨を外部に報知する報知手段を備えていることを特徴とする系統連系インバータ装置。
【発明の詳細な説明】
【技術分野】
【０００１】
この発明は接続箱および系統連系インバータ装置に関し、より詳細には、複数の太陽電池モジュールの出力電圧を揃えて系統連系インバータ装置に入力する接続箱の故障を報知する技術に関する。
【背景技術】
【０００２】
複数の太陽電池モジュール（太陽電池回路）を組み合わせた太陽光発電システムでは、発電された電力を商用電源などの系統電力に連系させる系統連系インバータ装置（パワーコンディショナ）と各太陽電池モジュールとの間には、太陽電池モジュールの出力を一つにまとめる接続箱が備えられており、この接続箱でパワーコンディショナへの入力電圧を揃えるように構成されている。
【０００３】
この種の接続箱には、太陽電池モジュールの回路数に応じた複数の昇圧回路が備えられており、これらの昇圧回路を用いて、接続箱の出力電圧（つまり、パワーコンディショナへの入力電圧）を、太陽電池モジュール中の最大電圧に合わせるように構成されている（たとえば、特許文献１参照）。
【０００４】
ところで、このような接続箱に備えられる昇圧回路には、各昇圧回路ごとに、入力電圧や出力電圧、出力電流などを検出する各種センサ類と、昇圧動作を制御する制御用のマイコンとが備えられており、マイコンは各種センサ類で検出される情報に基づいて、昇圧回路ごとに異常の有無を検出し、異常が検出された昇圧回路はその動作を停止させるように構成されている。
【先行技術文献】
【特許文献】
【０００５】
【特許文献１】特許第４４６８３７２号公報
【発明の概要】
【発明が解決しようとする課題】
【０００６】
しかしながら、このような従来の構成には以下のような問題があり、その改善が望まれていた。
【０００７】
すなわち、異常検出によって昇圧回路の動作を停止させるようにしても、昇圧回路の構成上、入出力間はコイルとダイオードで繋がっているため、入力電圧がそのまま出力されてしまう。ここで、一般的な昇圧回路であれば、ヒューズなどで入出力間を遮断する構成を採用できるが、太陽電池モジュールは動作電流とショート電流があまり変わらないため、ヒューズなどで入出力間を遮断することが困難であり、回路がショートしたときにはショート電流が流れ続けることになっていた。
【０００８】
また、複数ある昇圧回路のうちの１回路が動作を停止し、１回路分の電力が低下しても、その他の昇圧回路が正常に動作していればパワーコンディショナは正常に動作を継続するので、パワーコンディショナの動作から接続箱の異常をユーザが認識するのは困難である一方、一般的に接続箱には表示機能がないので、昇圧回路のマイコンが異常を直接報知することもできなかった。
【０００９】
なお、この点に関し、接続箱にパワーコンディショナとの通信機能を備えさせることも考えられるが、このような通信機能を接続箱に付与するには、通信回路や通信線の追加が必要となり、製造コストや施工コストの上昇を招くという問題があった。
【００１０】
本発明は、このような従来の問題点に鑑みてなされたものであって、その目的とするところは、製造コスト等の上昇を招くことなく、接続箱の昇圧回路の異常を容易に発見できる接続箱と系統連系インバータ装置を提供することにある。
【課題を解決するための手段】
【００１１】
上記目的を達成するため、本発明の請求項１に記載の接続箱は、複数の太陽電池回路を系統連系インバータ装置に接続するための接続箱であって、接続される太陽電池回路の回路数に応じた複数の昇圧回路を備え、通常動作時に、各昇圧回路が太陽電池回路中の最大電圧に出力電圧を合わせる昇圧動作を行うように構成されたものにおいて、昇圧回路ごとの異常を検出する異常検出手段を備え、上記異常検出手段がいずれかの昇圧回路の異常を検出したときは、当該異常が検出された昇圧回路を除く他のすべての昇圧回路が上記通常動作とは異なる所定の昇圧動作を行うことによって接続箱の異常を上記系統連系インバータ装置に報知するように構成されていることを特徴とする。
【００１２】
すなわち、この請求項１に係る接続箱では、接続箱の昇圧回路に異常が検出されると、当該異常が検出された昇圧回路を除く他のすべての昇圧回路が通常動作とは異なる所定の昇圧動作を行って、昇圧回路の異常を系統連系インバータ装置に報知するので、系統連系インバータ装置は、接続箱からの入力電圧や入力電力を監視することで、接続箱の昇圧回路に異常があるかを判断できる。そのため、この請求項１に記載の接続箱によれば、接続箱に通信回路等を設けることなく、接続箱の昇圧回路の異常を系統連系インバータ装置に伝達・報知できる。
【００１３】
本発明の請求項２に記載の接続箱は、請求項１に記載の接続箱において、上記所定の昇圧動作は、上記系統連系インバータ装置のＭＰＰＴ制御による最大電力点の電圧よりも高い所定電圧に昇圧させる昇圧動作であることを特徴とする。
【００１４】
すなわち、この請求項２に係る接続箱では、昇圧回路に異常があると、接続箱の出力電圧は、系統連系インバータ装置のＭＰＰＴ制御による最大電力点の電圧より高い所定電圧となるので、この接続箱と接続された系統連系インバータ装置は、接続箱からの入力電圧が上記所定電圧になったときには、接続箱の昇圧回路に異常があると判断できる。
【００１５】
本発明の請求項３に記載の接続箱は、請求項１に記載の接続箱において、上記所定の昇圧動作は、上記系統連系インバータ装置のＭＰＰＴ制御による最大電力点の電圧への昇圧動作と、この最大電力点の電圧よりも高い所定電圧に昇圧させる昇圧動作を交互に行わせるものであることを特徴とする。
【００１６】
すなわち、この請求項３に係る接続箱では、昇圧回路に異常があると、接続箱の出力電圧は、系統連系インバータ装置のＭＰＰＴ制御による最大電力点の電圧と、この最大電力点の電圧より高い所定電圧とを交互に繰り返すので、この接続箱と接続される系統連系インバータ装置は、接続箱からの入力電圧がこのような変化を示していれば、接続箱の昇圧回路に異常があると判断できる。
【００１７】
本発明の請求項４に記載の系統連系インバータ装置は、請求項１から３のいずれかに記載の接続箱と接続される系統連系インバータ装置であって、上記接続箱が昇圧回路の異常を報知する所定の昇圧動作を行っていることを検知したときに、その旨を外部に報知する報知手段を備えていることを特徴とする。
【００１８】
すなわち、この請求項４に係る系統連系インバータ装置では、接続箱からの入力電圧が、接続箱の昇圧回路に異常があることを示す電圧を示したときに、その旨（接続箱の昇圧回路のいずれかに異常がある旨）が報知手段によって外部に報知されるので、この報知に接したユーザは、接続箱の昇圧回路に異常があることを容易かつ正確に把握できる。
【発明の効果】
【００１９】
本発明の接続箱によれば、接続箱に備えられた昇圧回路に異常が検出されると、そのことが系統連系インバータ装置の入力電圧の変化等の形で系統連系インバータ装置に伝達されるので、接続箱の昇圧回路の異常を簡易かつ安価な構成で、系統連系インバータ装置に伝達することができる。
【００２０】
また、本発明の系統連系インバータ装置によれば、接続箱が昇圧回路の異常を報知していることを検知すると、その旨が系統連系インバータ装置に備えられる報知手段を通じて外部に報知されるので、接続箱の昇圧回路の異常をユーザは容易かつ正確に把握することができる。
【図面の簡単な説明】
【００２１】
【図１】本発明に係る接続箱および系統連系インバータ装置を用いた太陽光発電システムの概略構成を示す説明図である。
【図２】同接続箱および系統連系インバータ装置の動作の一例を示す説明図である。
【図３】同接続箱および系統連系インバータ装置の動作の他の一例を示す説明図である。
【図４】同接続箱および系統連系インバータ装置の動作の他の一例を示す説明図である。
【発明を実施するための形態】
【００２２】
以下、本発明の実施形態を図面に基づいて詳細に説明する。
実施形態１
図１は、本発明に係る接続箱および系統連系インバータ装置を用いた太陽光発電システムの概略構成を示している。この太陽光発電システム１は、太陽電池モジュール（太陽電池回路）２から出力される直流電力を商用電源などの系統電力３に連系させるためのシステムであって、複数の太陽電池モジュール装置２，２，…と、接続箱４と、パワーコンディショナ（系統連系インバータ装置）５とを主要部として構成されている。
【００２３】
太陽電池モジュール２は、周知のとおり、複数の太陽電池（セル）を直並列接続して必要な直流電圧と直流電流が得られるように構成した太陽電池回路をパネル状に形成したモジュールであって、この太陽電池モジュール２は、設置場所（たとえば、屋根）の構造等に応じて、パネルの面積や施工枚数などが適宜設定されるようになっている。たとえば、一般的な寄棟造りの屋根においては、通常、３回路から４回路程度の太陽電池モジュール２が配設される。
【００２４】
接続箱４は、複数の太陽電池モジュール２の出力を一つにまとめる装置であって、この接続箱４には、少なくとも当該接続箱４に接続する太陽電池モジュール２の回路数に応じた複数の昇圧回路６，６，…が備えられている。
【００２５】
各昇圧回路６，６，…は、対応する太陽電池モジュール２から入力される直流電圧を昇圧するＤＣ−ＤＣコンバータと、このＤＣ−ＤＣコンバータの昇圧動作を制御する制御手段となるマイコンと、ＤＣ−ＤＣコンバータの入力電圧、出力電圧、出力電流などを検出する各種センサ類（いずれも図示せず）とを備えており、これらセンサ類で検出される情報に基づいてマイコンがＤＣ−ＤＣコンバータの昇圧動作を制御するとともに、当該ＤＣ−ＤＣコンバータの異常の有無（たとえば、ＤＣ−ＤＣコンバータの回路がショートしていないかなど）を検出するように構成されている（各昇圧回路６，６，…に備えられるセンサ類とマイコンが昇圧回路６の異常検出手段を構成している）。
【００２６】
各昇圧回路６，６，…に備えられるマイコンは、ＤＣ−ＤＣコンバータの昇圧動作の制御に関して、他の昇圧回路６の出力電圧や動作状況を監視できるように構成されており、他の昇圧回路６の出力電圧に応じて自身の昇圧動作を制御するように構成されている。
【００２７】
すなわち、各昇圧回路６，６，…は、その通常動作時（後述する昇圧回路６の異常が検出されていないとき）には、最も高い電圧（最大電圧）を出力する太陽電池モジュール２の出力電圧に自身の出力電圧を合わせる昇圧動作を行うように構成されており、最大電圧が入力される昇圧回路６は昇圧を行わず、昇圧動作を停止させている。
【００２８】
パワーコンディショナ５は、接続箱４から出力される直流電圧を系統電力３に連系させるための系統連系インバータ装置であって、接続箱４から出力される直流電圧を所定電圧に昇圧させるコンバータ部７と、このコンバータ部７で昇圧された直流電圧を所定の交流電力に変換するためのインバータ部８と、太陽電池モジュール２での発電状況やパワーコンディショナ５の動作状況などを表示する表示部９とを主要部として構成されている。
【００２９】
たとえば、系統電力３が単相交流２００Ｖの商用電源の場合、インバータ部８は、商用電源と同じ単相交流２００Ｖの交流電力を定格出力電力とするインバータ回路で構成される。なお、このインバータ部８は、直流電力を交流電力に変換するに際してＭＰＰＴ制御（最大電力点追従制御）を行うように構成されている。そのため、インバータ部８が動作し、インバータ部８を通過する電流が増加すると、それに伴って太陽電池モジュール２の出力電圧は低下するが、最終的には最大電力点の電圧Ｖ０で概ね安定することとなる。
【００３０】
コンバータ部７は、インバータ部８において単相交流２００Ｖの交流電力への変換に必要な直流電圧を生成するＤＣ−ＤＣコンバータ回路で構成される。なお、インバータ部８において単相交流２００Ｖの交流電力を出力するのに必要とされる直流電圧（必要入力電圧）は概ね直流３５０Ｖ程度であるので、コンバータ部７は接続箱４から入力される直流電圧を３５０Ｖに昇圧するように構成されている。
【００３１】
表示部（報知手段）９は、文字や図形の表示が可能な表示装置（たとえば、液晶ディスプレイや蛍光管表示装置など）で構成されており、この表示部９に、太陽電池モジュール２での発電状況やパワーコンディショナ５の動作状況などが表示されるほか、本実施形態では、後述する接続箱４の異常も表示するように構成されている。なお、図１において、１０は持ち運び可能に構成された家庭内用のモニタ装置であって、このモニタ装置１０はパワーコンディショナと無線や赤外線などで通信を行い、パワーコンディショナ５の制御部（図示せず）と情報を共有し、太陽電池モジュール２での発電状況等を表示できるようになっている。
【００３２】
次に、このように構成された太陽光発電システムにおける接続箱４の昇圧回路６の故障報知動作について図２に基づいて説明する。
【００３３】
本実施形態に示す接続箱４は、上述したように、各昇圧回路６，６，…に備えられたマイコンがそれぞれ自身の昇圧回路６の異常の有無を検出するようになっており、マイコンが昇圧回路６の異常を検出すると（図２（ｂ）ステップＳ１参照）、当該昇圧回路６の昇圧動作はマイコンによって停止される。
【００３４】
接続箱４の昇圧回路６のいずれかが異常検知によって停止すると、本実施形態に示す接続箱４では、昇圧動作を停止した昇圧回路６を除く他のすべての昇圧回路６が、パワーコンディショナ５を誤動作させないように一定時間（たとえば、数分程度）を費やしながら、図２（ａ）に示すように、昇圧回路６の出力電圧を最大電力点の電圧Ｖ０から所定電圧Ｖ１まで緩やかに上昇させる昇圧動作を行う（図２（ｂ）ステップＳ２参照）。ここで、この所定電圧Ｖ１は、最大電力点の電圧としてはあり得ない電圧値（ただし、Ｖ１＞Ｖ０）が好適に用いられる。すなわち、この所定電圧Ｖ１は、接続箱４の昇圧回路６が通常動作を行っているときには接続箱４から出力されることのない程度の高い電圧値が用いられる。なお、この所定電圧Ｖ１は、各昇圧回路６のマイコンの図示しない記憶部にあらかじめ記憶させておく。
【００３５】
そして、昇圧動作によって各昇圧回路６の出力電圧が上記所定電圧Ｖ１になると（図２（ｂ）ステップＳ３参照）、各昇圧回路６はパワーコンディショナ５のＭＰＰＴ制御が安定するまで（一定時間Ｔ１が経過するまで）所定電圧Ｖ１を維持し（図２（ｂ）ステップＳ４参照）、その後、再び最大電力点の電圧Ｖ０まで緩やかに出力電圧を低下させる（図２（ｂ）ステップＳ５参照）。
【００３６】
このように、本実施形態に示す接続箱４では、いずれかの昇圧回路６において異常が検出されると、異常が検出された昇圧回路６を除く他のすべての昇圧回路６に通常動作とは異なる所定の昇圧動作を行わせることによって、パワーコンディショナ５に入力される電圧を変化させて、パワーコンディショナ５に昇圧回路６の異常を伝達・報知する。
【００３７】
そのため、パワーコンディショナ５は、昇圧回路６の異常検出時に接続箱４が行う昇圧動作の内容（結果）を制御部に記憶させておくことで、接続箱４から入力される電圧がその結果と一致するときは、昇圧回路６が異常であると判断する。そして、本実施形態のパワーコンディショナ５は、このように昇圧回路６の異常を検出すると、その旨（接続箱４の昇圧回路６に異常がある旨）を表示部９やモニタ装置１０を通じて外部に報知するように構成されている。そのため、ユーザは表示部９やモニタ装置１０の表示を確認することで容易かつ正確に接続箱４の昇圧回路６の異常の有無を確認することができ、異常があるときは早期に修理依頼などを行うことができる。
【００３８】
なお、本実施形態において、接続箱４の出力電圧を所定電圧Ｖ１にして一定時間Ｔ１が経過すると元の電圧（最大電力点の電圧）Ｖ０に戻すのは、すべての昇圧回路６を所定電圧Ｖ１にしておくと、接続箱４での損失が大きいからであり、パワーコンディショナ５において昇圧回路６の異常を検出・判断した後は、本実施形態に示すように、元の電圧に戻すように構成しておくのが好ましい。
【００３９】
また、昇圧回路６のマイコンは、太陽電池モジュール２から供給される電力のみで動作するため、日の入りなどで太陽電池モジュール２への日射がなくなると停止する。そのため、翌日の日の出後に昇圧回路６の異常状態が解消していなければ、翌日も上述した動作を再度行うこととなる。
【００４０】
実施形態２
次に、本発明の第２の実施形態を図３に基づいて説明する。
この図３に示す実施形態は、上述した実施形態１の接続箱４の構成を改変したものであって、具体的には、昇圧回路６の異常を検出したときに、異常が検出された昇圧回路を除く他のすべての昇圧回路６が行う昇圧動作の内容を改変している。なお、その他の点は上述した実施形態１と共通するので、共通する部分の説明は省略する。
【００４１】
すなわち、本実施形態に示す接続箱４は、図３（ｂ）に示すように、各昇圧回路６，６，…に備えられたマイコンが昇圧回路６の異常を検出すると（図３（ｂ）ステップＳ１参照）、当該異常が検出された昇圧回路６の昇圧動作を停止させるとともに、昇圧動作を停止した昇圧回路６を除く他のすべての昇圧回路６は、昇圧回路６の出力電圧を周期的に変動させる（図３（ｂ）ステップＳ２参照）。
【００４２】
具体的には、たとえば、図３（ａ）に示すように、一定周期Ｔ２の間に、最大電力点の電圧Ｖ０と、この最大電力点の電圧Ｖ０よりも高い所定電圧Ｖ１を交互に出力するように各昇圧回路６に昇圧動作を行わせる。なお、このときの所定電圧Ｖ１も、上述した実施形態１と同様に、各昇圧回路６のマイコンの図示しない記憶部にあらかじめ記憶させておく。そして、この昇圧動作を一定時間Ｔ３が経過するまで繰り返し行うこと（図３（ｂ）ステップＳ３参照）で、接続箱４の昇圧回路６において異常が検出されていることを、パワーコンディショナ５に伝達・報知するようにしている。
【００４３】
そのため、本実施形態に示す接続箱４と接続されるパワーコンディショナ５についても、上述した実施形態１に示すパワーコンディショナ５と同様、昇圧回路６の異常検出時に接続箱４が行う昇圧動作の内容（結果）を制御部に記憶させておき、接続箱４から入力される電圧の変化がその結果と一致するとき（つまり、本実施形態では、最大電力点の電圧Ｖ０とそれより高い所定電圧Ｖ１を交互に繰り返すとき）には、昇圧回路６に異常があると判断する。そして、本実施形態のパワーコンディショナ５は、このように昇圧回路６の異常を検出すると、その旨（接続箱４の昇圧回路６に異常がある旨）を表示部９やモニタ装置１０を通じて外部に報知するように構成されている。したがって、本実施形態においても、ユーザは表示部９やモニタ装置１０の表示を確認することで容易かつ正確に接続箱４の昇圧回路６の異常の有無を確認することができ、異常があるときは早期に修理依頼などを行うことができる。
【００４４】
なお、本実施形態では、上記一定時間Ｔ３が経過すると、各昇圧回路６の出力電圧は最大電力点の電圧Ｖ０まで低下させるようにしておく（図３（ｂ）ステップＳ４参照）。そして、本実施形態に示すパワーコンディショナ５は、接続箱４の出力電圧が最大電力点の電圧Ｖ０に復帰した後も表示部９での表示を継続するように構成しておく。
【００４５】
実施形態３
次に、本発明の第３の実施形態を図４に基づいて説明する。
この図４に示す実施形態は、上述した実施形態１または実施形態２の接続箱４の構成を改変したものであって、具体的には、昇圧回路６の異常を検出したときに、異常が検出された昇圧回路を除く他のすべての昇圧回路６が行う昇圧動作の内容を改変している。なお、その他の点は上述した実施形態１や実施形態２と共通するので、共通する部分の説明は省略する。
【００４６】
すなわち、本実施形態に示す接続箱４は、図４（ｂ）に示すように、各昇圧回路６，６，…に備えられたマイコンが昇圧回路６の異常を検出すると（図４（ｂ）ステップＳ１参照）、当該異常が検出された昇圧回路６の昇圧動作を停止させるとともに、昇圧動作を停止した昇圧回路６を除く他のすべての昇圧回路６は、電力一定制御（もしくは昇圧を停止させる制御）を行って意図的に電力を変動させた後（図４（ａ）のＷ１および図４（ｂ）ステップＳ２参照）、一定期間Ｔ４経過後に（図４（ｂ）ステップＳ３参照）、再びＭＰＰＴ制御に戻して最大電力Ｗ０を一定期間Ｔ５が経過するまで出力する（図４（ｂ）ステップＳ４，Ｓ５参照）という一定のパターン化した動作（具体的には通常時の動作ではあり得ないような電力変動のパターン）を所定回数繰り返す（図４（ｂ）ステップＳ６参照）ことで、接続箱４の昇圧回路６で異常が検出されていることをパワーコンディショナ５に伝達・報知するようにしている。なお、この制御において意図的に変動させる電力Ｗ１も、各昇圧回路６のマイコンの図示しない記憶部にあらかじめ記憶させておくものとされる。つまり、本実施形態では、パワーコンディショナ５に入力する電力値を変化させることによって、接続箱４の昇圧回路６で異常をパワーコンディショナ５に伝達するようにしている。
【００４７】
そのため、本実施形態に示す接続箱４と接続されるパワーコンディショナ５においても、上述した実施形態１または実施形態２に示すパワーコンディショナ５と同様、昇圧回路６の異常検出時に接続箱４が行う動作のパターンを制御部に記憶させておき、接続箱４から入力される電力変化がその結果と一致するときには、昇圧回路６に異常があると判断する。なお、この場合に、パワーコンディショナ５が表示部９やモニタ装置１０を通じて昇圧回路６の異常検出を外部に報知する点は、上述した実施形態１または２と同様である。
【００４８】
なお、上述した実施形態は本発明の好適な実施態様を示すものであって、本発明はこれらに限定されることなく発明の範囲内で種々の設計変更が可能である。
【００４９】
たとえば、接続箱４が昇圧回路６の異常をパワーコンディショナ５に伝達するにあたり、昇圧回路の昇圧動作を通常動作とは異なる所定の動作（パワーコンディショナ側で確認・判断できる動作）を行う構成であれば、上述した実施形態に限らず適宜設計変更可能である。要は、昇圧回路６の異常をパワーコンディショナ５に伝達・報知するにあたり、接続箱４からパワーコンディショナ５への電力供給線を利用する構成であればよい。
【符号の説明】
【００５０】
１            太陽光発電システム
２            太陽電池モジュール（太陽電池回路）
３            系統電力
４            接続箱
５            パワーコンディショナ（系統連系インバータ装置）
６            昇圧回路
７            コンバータ部
８            インバータ部
９            表示部（報知手段）
１０          モニタ装置（報知手段）
【図１】
2014131375.tif 000003
【図２】
2014131375.tif 000004
【図３】
2014131375.tif 000005
【図４】
2014131375.tif 000006